(57)【要約】      （修正有）【課題】屋外でも使用可能な発光表示体を提供する。【解決手段】ＥＬシート１と、ＥＬシート１の裏面及び表面にそれぞれ配される裏側ラミネートシート２及び表側ラミネートシート３と、表側ラミネートシート３の表面に配され且つ文字又は図形等を切り抜いたカッティングシート４と、カッティングシート４の表面に配されるカッティングシート用ラミネートシート５とを備えた５層状のものとした。【選択図】図２
0003121145.tif 000002
【実用新案登録請求の範囲】
【請求項１】
ＥＬシートと、当該ＥＬシートの裏面及び表面にそれぞれ配される裏側ラミネートシート及び表側ラミネートシートと、当該表側ラミネートシートの表面に配され且つ文字又は図形等を切り抜いたカッティングシートと、当該カッティングシートの表面に配されるカッティングシート用ラミネートとを備えていることを特徴とする発光表示体。
【請求項２】
少なくとも前記裏側ラミネートシート及びカッティングシート用ラミネートシートの平面形状を、前記ＥＬシート及び前記カッティングシートの平面形状よりも大きく設定し、前記裏側ラミネートシート及びカッティングシート用ラミネートシートの周縁部を熱縮チューブによって密閉している請求項１記載の発光表示体。
【請求項３】
前記熱縮チューブを枠体によって被覆している請求項２記載の発光表示体。
【考案の詳細な説明】
【技術分野】
【０００１】
本考案は、発光体としてＥＬ（エレクトロルミネセンス）シートを適用し、看板等として利用可能な発光表示体に関するものである。
【背景技術】
【０００２】
従来より、点滅発光する看板広告として、ＥＬシートの表面に所定の文字や図形を切り抜いたカッティングシートを積層し、このカッティングシートの表面にラミネートシートを積層した発光表示体が広く知られている。
【考案の開示】
【考案が解決しようとする課題】
【０００３】
しかしながら、この種の発光表示体は、専ら屋内で使用されるものであるために、外部に露出し得るカッティングシートにのみラミネート加工を施している。したがって、このような発光表示体を屋外で使用した場合には、ＥＬシートが直接外気に触れ、損傷しやすく、耐用性に劣るという不具合が生じる。
【０００４】
本考案は、このような課題に着目してなされたものであって、主たる目的は、ＥＬシートを厚く保護し、屋外でも使用可能な発光表示体を提供することにある。
【課題を解決するための手段】
【０００５】
すなわち、本考案の発光表示体は、ＥＬシートと、当該ＥＬシートの裏面及び表面にそれぞれ配される裏側ラミネートシート及び表側ラミネートシートと、当該表側ラミネートシートの表面に配され且つ文字又は図形等を切り抜いたカッティングシートと、当該カッティングシートの表面に配されるカッティングシート用ラミネートとを備えていることを特徴とする。
【０００６】
このようなものであれば、ＥＬシートの両面を表側ラミネートシート及び裏側ラミネートシートでラミネートしているため、ＥＬシートの表面にカッティングシートを直接積層した態様と比較して、ＥＬシートの耐久性が向上し、屋外に設置した場合にもＥＬシートが損傷することを防止し、屋内外問わず設置場所を選択できる発光表示体となる。
【０００７】
特に、少なくとも前記裏側ラミネートシート及びカッティングシート用ラミネートシートの平面形状を、前記ＥＬシート及び前記カッティングシートの平面形状よりも大きく設定し、前記裏側ラミネートシート及びカッティングシート用ラミネートシートの周縁部を熱縮チューブによって密閉していれば、防水、漏電防止効果を有効に高めることができる。
【０００８】
また、具体的な実施態様としては、前記熱縮チューブを枠体によって被覆しているものが挙げられる。
【考案の効果】
【０００９】
以上説明したように本考案によれば、両面にラミネート加工を施して厚く保護されたＥＬシートの耐久性が向上し、屋外でも好適に使用できる発光表示体となる。
【考案を実施するための最良の形態】
【００１０】
以下、本考案の一実施形態を、図面を参照して説明する。
【００１１】
本実施形態に係る発光表示体Ｐは、図１及び図２（図２は図１のａ―ａ線端面を模式的に示す図である）に示すように、ＥＬシート１と、ＥＬシート１の裏面及び表面にそれぞれ配される裏側ラミネートシート２及び表側ラミネートシート３と、表側ラミネートシート３の表面に配されるカッティングシート４と、カッティングシート４の表面に配されるカッティングシート用ラミネートシート５とを備えた５層状のものである。
【００１２】
ＥＬシート１は、接続されている配線Ｈを通じて所定の電力が供給された場合に発光するものであり、本実施形態では、平面視矩形状のものを適用している。
【００１３】
カッティングシート４は、表示すべき文字や図形等を切り抜いたものであり、本実施形態では、平面形状を、ＥＬシート１と略同一に設定している。
【００１４】
表側ラミネートシート３は、ＥＬシート１の表面にラミネートされるものであり、換言すればＥＬシート１とカッティングシート４との間に介在するものである。本実施形態では、表側ラミネートシート３の平面形状を、ＥＬシート１と略同一に設定している。
【００１５】
裏側ラミネートシート２及びカッティングシート用ラミネートシート５は、それぞれＥＬシート１の裏面、カッティングシート４の表面にラミネートされるものであり、これら各ラミネートシート２、５の平面形状を、ＥＬシート１の平面形状よりも大きく設定している。
【００１６】
そして、裏側ラミネートシート２、ＥＬシート１、表側ラミネートシート３、カッティングシート４、カッティングシート用ラミネートシート５を、この順で積層し、プレス加工等により薄板状に成形し、さらに、裏側ラミネートシート２及びカッティングシート用ラミネートシート５の周縁部にチューブ６を配し、このチューブ６を熱で収縮させることによって密閉する。この熱縮チューブ６を被覆するように、合成樹脂製の枠体７を取り付けることにより、本考案に係る発光表示体Ｐとなる。
【００１７】
なお、本実施形態では、この発光表示体Ｐの所定箇所に取付部として機能する一又は複数の取付孔８を設け、この取付孔８に所定のフック等を挿入することにより所定の設置場所に取付可能にしている。
【００１８】
このように、本実施形態に係る発光表示体Ｐは、ＥＬシート１の両面に、表側ラミネートシート３及び裏側ラミネートシート２を用いてそれぞれラミネート加工を施しているため、従来品のようなＥＬシートの表面にカッティングシートを直接積層した態様と比較して、ＥＬシート１が直接外気と触れることを防止して、屋外に設置した場合にもＥＬシート１が早期損傷することを回避することができ、設置場所を屋内外問わずに選択できる広い汎用性を付与する。
【００１９】
特に、裏側ラミネートシート２及びカッティングシート用ラミネートシート５の平面形状を、ＥＬシート１、表側ラミネートシート３、及びカッティングシート４の平面形状よりも大きく設定し、裏側ラミネートシート２及びカッティングシート用ラミネートシート５の周縁部を熱縮チューブ６によって密閉しているため、防水性と漏電防止効果を有効に高め、屋外での使用にも十分に耐えることができる。
【００２０】
加えて、熱縮チューブ６を枠体７によって被覆しているため、外観の向上を図りつつ、発光表示体Ｐの構造体としての強度を向上させることができる。
【００２１】
なお、本考案は、以上に詳述した実施形態に限られるものではない。
【００２２】
例えば、各シートの形状は矩形状のものに限定されず、ユーザの使用態様に対応させて種々の形状のものを採用してもよい。
【００２３】
また、熱縮チューブに替えて、既知の接着剤を用いて裏側ラミネートシート及びカッティングシート用ラミネートシートの周縁部を接着する、あるいは裏側ラミネートシート及びカッティングシート用ラミネートシートを熱溶着させることにより、裏側ラミネートシート及びカッティングシート用ラミネートシートの周縁部を密閉するようにしても構わない。
【００２４】
また、取付孔を設けずに、裏側ラミネートシートの所定部位に貼着したテープ等の貼着物を用いて発光表示体を所定の設置場所に取り付けるようにしてもよい。
【００２５】
その他、各部の具体的構成についても上記実施形態に限られるものではなく、本考案の趣旨を逸脱しない範囲で種々変形が可能である。
【図面の簡単な説明】
【００２６】
【図１】本考案の一実施形態に係る発光表示体の全体斜視図。
【図２】図１におけるａ―ａ線断面を誇大に示す図。
【符号の説明】
【００２７】
Ｐ…発光表示体
１…ＥＬシート
２…裏側ラミネートシート
３…表側ラミネートシート
４…カッティングシート
５…カッティングシート用ラミネートシート
６…熱縮チューブ
７…枠体
【図１】
0003121145.tif 000003
【図２】
0003121145.tif 000004